(57)【特許請求の範囲】
【請求項１】
主なる延在方向を有し、前方側端部と後方側端部とを有する少なくとも第１の層を備える本体を備える種類の吸収性衛生用品であって、少なくとも前記第１の層に接続される少なくとも第１の及び第２の側部側パネルを備える吸収性衛生用品を形成する方法であって、
前記方法が、
各々前記本体の少なくとも前記第１の層を形成するように設計され、前記吸収性用品の前記対応する本体の前記前方側端部及び前記後方側端部に対応する前方側端部（３ａ，４ａ）と後方側端部（３ｂ，４ｂ）とを有する第１の及び第２の区間（３，４）を備える第１のウェブ（２）を繰出方向（Ｖ）に繰り出すステップと、
前記第１の側部側パネルを形成するように設計される第２のウェブ（６）を繰り出すステップと、
前記第２の側部側パネルを形成するように設計される第３のウェブ（７）を繰り出すステップと、
第１の部片（Ａ）及び第２の部片（Ｂ）の連続体に、前記第２のウェブ（６）を切断するステップであって、各第１の及び第２の部片（Ａ，Ｂ）が第１の側部側パネルを形成するステップと、
第３の部片（Ｃ）及び第４の部片（Ｄ）の連続体に、前記第３のウェブ（７）を切断するステップであって、各第３の及び第４の部片（Ｃ，Ｄ）が第２の側部側パネルを形成するステップと、
を含み、
前記第１の、前記第２の、前記第３の及び前記第４の部片（Ａ，Ｂ，Ｃ，Ｄ）が、各々、前記第１の層と接続する第１の端部（Ａ１，Ｂ１，Ｃ１，Ｄ１）と、前記第１の端部（Ａ１，Ｂ１，Ｃ１，Ｄ１）と反対側の第２の端部（Ａ２，Ｂ２，Ｃ２，Ｄ２）と、を有し、
前記方法が
前記第１の、前記第２の、前記第３の及び前記第４の部片（Ａ，Ｂ，Ｃ，Ｄ）を前記第１のウェブ（２）に貼り付けるステップ、
を含み、
前記第１の及び前記第２の区間（３，４）が、各第１の区間（３）が前記繰出方向（Ｖ）に沿って前記後方側端部（３ｂ）を前記前方側端部（３ａ）の下流側に有し、各第２の区間（４）が前記繰出方向（Ｖ）に沿って前記前方側端部（４ａ）を前記後方側端部（４ｂ）の下流側に有するように、前記第１のウェブに設けられ、前記第１の側部側パネルは、前方側パネルおよび後方側パネルの一方であり、前記第２の側部側パネルも、前方側パネルおよび後方側パネルの前記一方である、
方法。
【請求項２】
前記第１の、前記第２の、前記第３の及び前記第４の部片（Ａ，Ｂ，Ｃ，Ｄ）を貼り付ける前記ステップが、
前記第１のウェブ（２）の第１の区間（３）上に、第１の部片（Ａ）を配置するステップと、
前記第１のウェブ（２）の第２の区間（４）上に、前記第１のウェブ（２）を挟んで前記第１の部片（Ａ）とは反対側に、第２の部片（Ｂ）を配置するステップと、
前記第１のウェブ（２）の第１の区間（３）上に、前記第１のウェブ（２）を挟んで前記第１の部片（Ａ）とは反対側に、第３の部片（Ｃ）を配置するステップと、
前記第１のウェブ（２）の第２の区間（４）上に、前記第１のウェブ（２）を挟んで前記第２の及び前記第３の部片（Ｂ，Ｃ）とは反対側に、第４の部片（Ｄ）を配置するステップと、
を含む、
請求項１に記載の方法。
【請求項３】
前記第１の部片（Ａ）及び前記第３の部片（Ｃ）が、前記第１の部片（Ａ）の前記第２の端部（Ａ２）が前記第３の部片（Ｃ）の前記第２の端部（Ｃ２）に対向しているように、前記第１のウェブ（２）上に貼り付けられる、請求項１又は２に記載の方法。
【請求項４】
前記第２の部片（Ｂ）及び前記第４の部片（Ｄ）が、前記第２の部片（Ｂ）の前記第２の端部（Ｂ２）が前記第３の部片（Ｄ）の前記第２の端部（Ｄ２）に対向しているように、前記第１のウェブ（２）上に貼り付けられる、請求項１又は３に記載の方法。
【請求項５】
前記第１の、前記第２の、前記第３の及び前記第４の部片（Ａ，Ｂ，Ｃ，Ｄ）の前記第２の端部（Ａ２，Ｂ２，Ｃ２，Ｄ２）が位置する前記第１のウェブ（２）の面の反対側の面に前記第１の、前記第２の、前記第３の及び前記第４の部片（Ａ，Ｂ，Ｃ，Ｄ）の前記第１の端部（Ａ１，Ｂ１，Ｃ１，Ｄ１）を折り畳むステップ
を含み、
前記第１の端部（Ａ１，Ｂ１，Ｃ１，Ｄ１）が、前記貼り付けるステップの終わりで、前記第１のウェブ（２）からはみ出すように延在する、
請求項１から４のいずれか１項に記載の方法。
【請求項６】
前記第１の、前記第２の、前記第３の及び前記第４の部片（Ａ，Ｂ，Ｃ，Ｄ）を貼り付ける前記ステップが、前記第１の部片（Ａ）に対して、前記第２のウェブ（６）の主なる延在方向（Ｄ２）に平行な方向に沿って前記第２の部片（Ｂ）を平行移動させるステップを含む、請求項１から５のいずれか１項に記載の方法。
【請求項７】
前記第１の、前記第２の、前記第３の及び前記第４の部片（Ａ，Ｂ，Ｃ，Ｄ）を貼り付ける前記ステップが、前記第１の部片（Ａ）に対して、前記第２のウェブ（６）の主なる延在方向（Ｄ２）を横断する方向に沿って前記第２の部片（Ｂ）を平行移動させるステップを含む、請求項１から６のいずれか１項に記載の方法。
【請求項８】
前記第１の、前記第２の、前記第３の及び前記第４の部片（Ａ，Ｂ，Ｃ，Ｄ）を貼り付ける前記ステップが、前記第３の部片（Ａ）に対して、前記第３のウェブ（７）の主なる延在方向（Ｄ３）に平行な方向に沿って前記第４の部片（Ｄ）を平行移動させるステップを含む、請求項１から７のいずれか１項に記載の方法。
【請求項９】
前記第１の、前記第２の、前記第３の及び前記第４の部片（Ａ，Ｂ，Ｃ，Ｄ）を貼り付ける前記ステップが、前記第３の部片（Ａ）に対して、前記第３のウェブ（７）の主なる延在方向（Ｄ３）を横断する方向に沿って前記第４の部片（Ｄ）を平行移動させるステップを含む、請求項１から８のいずれか１項に記載の方法。
【請求項１０】
前記本体の第２の層を形成するように設計される、少なくとも第６のウェブを前記第１のウェブ（２）に貼り付けるステップ
を含み、
前記第１の、前記第２の、前記第３の及び前記第４の部片（Ａ，Ｂ，Ｃ，Ｄ）の前記第１の端部（Ａ１，Ｂ１，Ｃ１，Ｄ１）が前記第１のウェブ（２）と前記第６のウェブとの間に閉塞され続ける、
請求項１から９のいずれか１項に記載の方法。
【請求項１１】
前記第１の、前記第２の、前記第３の及び前記第４の部片（Ａ，Ｂ，Ｃ，Ｄ）が、前記第１のウェブ（２）の前記それぞれの第１の又は第２の区間（３，４）上に、少なくとも前記後方側端部（３ｂ，４ｂ）に配置される、請求項１から１０のいずれか１項に記載の方法。
【請求項１２】
前記第２の及び前記第３のウェブ（６，７）上に前記吸収性衛生用品を閉じるシステム（８）を貼り付けるステップ
を含み、
前記閉じるシステム（８）が、前記第１の、前記第２の、前記第３の及び前記第４の部片（Ａ，Ｂ，Ｃ，Ｄ）の前記第２の端部（Ａ２，Ｂ２，Ｃ２，Ｄ２）において、前記第２の及び前記第３のウェブ（６，７）上に貼り付けられる、
請求項１から１１のいずれか１項に記載の方法。
【請求項１３】
前記第１の、前記第２の、前記第３の及び前記第４の部片（Ａ，Ｂ，Ｃ，Ｄ）が、前記第１のウェブ（２）の前記それぞれの第１の又は第２の区間（３，４）上に、少なくとも前記後方側端部（３ｂ，４ｂ）に配置される、請求項１から１２のいずれか１項に記載の方法。
【請求項１４】
前記第１の、前記第２の、前記第３の及び前記第４の部片（Ａ，Ｂ，Ｃ，Ｄ）が、前記第１のウェブ（２）の前記それぞれの第１の又は第２の区間（３，４）上に、前記後方側端部（３ｂ，４ｂ）に配置され、
前記方法が、
それぞれ、第３の及び第４の側部側パネルを形成するように設計される第４の及び第５のウェブ（９，１０）を繰り出すステップと、
各々、第３の側部側パネルを形成する第５の及び第６の部片（Ｅ，Ｆ）の連続体に、第４のウェブ（９）を切断するステップと、
各々、第４の側部側パネルを形成する第７の及び第８の部片（Ｇ，Ｈ）の連続体に、前記第５のウェブ（１０）を切断するステップと、
を含み、
前記第５の、前記第６の、前記第７の及び前記第８の部片（Ｅ，Ｆ，Ｇ，Ｈ）が、各々、前記第１の層と接続する第１の端部（Ｅ１，Ｆ１，Ｇ１，Ｈ１）と、前記第１の端部（Ｅ１，Ｆ１，Ｇ１，Ｈ１）の反対側の第２の端部（Ｅ２，Ｆ２，Ｇ２，Ｈ２）と、を有し、
前記方法が、
前記第５の、前記第６の、前記第７の及び前記第８の部片（Ｅ，Ｆ，Ｇ，Ｈ）を前記第１のウェブ（２）に、前方側端部（３ａ，４ａ）において貼り付けるステップ
を含み、
前記第５の、前記第６の、前記第７の及び前記第８の部片（Ｅ，Ｆ，Ｇ，Ｈ）を貼り付ける前記ステップが、
前記第１のウェブ（２）の第２の区間（４）上に、第５の部片（Ｅ）を配置するステップと、
前記第１のウェブ（２）の第１の区間（３）上に、前記第１のウェブ（２）を挟んで前記第５の部片（Ｅ）とは反対側に、第６の部片（Ｆ）を配置するステップと、
前記第１のウェブ（２）の第２の区間（４）上に、前記第１のウェブ（２）を挟んで前記第５の部片（Ｅ）とは反対側に、第７の部片（Ｇ）を配置するステップと、
前記第１のウェブ（２）の第１の区間（３）上に、前記第１のウェブ（２）を挟んで前記第６の及び前記第７の部片（Ｆ，Ｇ）とは反対側に、第８の部片（Ｈ）を配置するステップと、
を含み、
前記第１の及び前記第３の部片（Ａ，Ｃ）が、使用時に、それぞれ、前記第８の及び前記第６の部片（Ｈ，Ｆ）と係合するように設計され、
前記第２の及び前記第４の部片（Ｂ，Ｄ）が、使用時に、それぞれ、前記第７の及び前記第５の部片（Ｇ，Ｅ）と係合するように設計される、
請求項１から１３のいずれか１項に記載の方法。
【請求項１５】
前記第５の、前記第６の、前記第７の及び前記第８の部片（Ｅ，Ｆ，Ｇ，Ｈ）を貼り付ける前記ステップが、前記第５の部片（Ｅ）に対して、前記第４のウェブ（９）の主なる延在方向（Ｄ４）に平行な方向に前記第６の部片（Ｆ）を平行移動させるステップを含む、請求項１４に記載の方法。
【請求項１６】
前記第５の、前記第６の、前記第７の及び前記第８の部片（Ｅ，Ｆ，Ｇ，Ｈ）を貼り付ける前記ステップが、前記第５の部片（Ｅ）に対して、前記第４のウェブ（９）の主なる延在方向（Ｄ４）に横断する方向に前記第６の部片（Ｆ）を平行移動させるステップを含む、請求項１４又は１５に記載の方法。
【請求項１７】
前記第５の、前記第６の、前記第７の及び前記第８の部片（Ｅ，Ｆ，Ｇ，Ｈ）を貼り付ける前記ステップが、前記第７の部片（Ｇ）に対して、前記第５のウェブ（１０）の主なる延在方向（Ｄ５）に平行な方向に前記第８の部片（Ｈ）を平行移動させるステップを含む、請求項１４から１６のいずれか１項に記載の方法。
【請求項１８】
前記第５の、前記第６の、前記第７の及び前記第８の部片（Ｅ，Ｆ，Ｇ，Ｈ）を貼り付ける前記ステップが、前記第７の部片（Ｇ）に対して、前記第５のウェブ（１０）の主なる延在方向（Ｄ５）を横断する方向に前記第８の部片（Ｈ）を平行移動させるステップを含む、請求項１４から１７のいずれか１項に記載の方法。
【請求項１９】
前記第４のウェブ（９）を切断する前記ステップが、前記第４のウェブ（９）の主なる延在方向（Ｄ４）に対して斜めの複数の切片を作成するステップを含み、
前記第５のウェブ（１０）を切断する前記ステップが、前記第５のウェブ（１０）の主なる延在方向（Ｄ５）に対して斜めの複数の切片を作成するステップを含み、
前記第４のウェブ（９）の前記切片及び前記第５のウェブ（１０）の前記切片が、前記第６の部片（Ｆ）が前記第５の部片（Ｅ）のように、かつ、前記第４のウェブ（９）の面において前記第５の部片（Ｅ）に対して１８０°回転されたように成形され、前記第８の部片（Ｈ）が前記第７の部片（Ｇ）のように、かつ、前記第５のウェブ（１０）の面において前記第７の部片（Ｇ）に対して１８０°回転されたように成形され、前記第７の部片（Ｇ）が前記第５の部片（Ｅ）と対称的になるように成形されるように設けられる、
請求項１４から１８のいずれか１項に記載の方法。
【請求項２０】
前記第２のウェブ（６）を切断する前記ステップが、前記第２のウェブ（６）の主なる延在方向（Ｄ２）に対して斜めの複数の切片を作成するステップを含み、
前記第３のウェブ（７）を切断する前記ステップが、前記第３のウェブ（７）の主なる延在方向（Ｄ３）に対して斜めの複数の切片を作成するステップを含み、
前記第２のウェブ（６）の前記切片及び前記第３のウェブ（７）の前記切片が、前記第２の部片（Ｂ）が前記第１の部片（Ａ）のように、かつ、前記第２のウェブ（６）の面において前記第１の部片（Ａ）に対して１８０°回転されたように成形され、前記第４の部片（Ｄ）が前記第３の部片（Ｃ）のように、かつ、前記第３のウェブ（７）の面において前記第３の部片（Ｃ）に対して１８０°回転されたように成形され、前記第３の部片（Ｃ）が前記第１の部片（Ａ）と対称的になるように成形されるように設けられる、
請求項１から１９のいずれか１項に記載の方法。
【発明の詳細な説明】
【技術分野】
【０００１】
本発明は、乳児用オムツ等の吸収性衛生用品を形成する方法に関する。以下、乳児用オムツについて言及するが、本発明の範囲を限定するものではない。
【背景技術】
【０００２】
全般的に複合ウェブの部片として形成され、主なる延在方向を有する本体を備える従来技術の吸収性衛生用品がある。
【０００３】
本体は、当該分野の当業者に簡潔に「前方側」として周知であり、使用時に使用者の前方側に配置されるように設計される前方側端部と、当該分野の当業者に簡潔に「後方側」として周知であり、使用時に使用者の背後に配置されるように設計される後方側端部と、を有する。
【０００４】
周知の種類の吸収性用品は、前方側端部の両側に延在し、業界用語では「前方側パネル」として周知である、互いに接続されるより多くの部分を可能な限り備える１対の側部側パネル又はフラップを備え、後方側端部の両側に延在し、業界用語では「後方側パネル」として周知である、互いに接続されるより多くの部分を可能な限り備える１対の側部側パネル又はフラップを備える。
【０００５】
後方側パネルは、備えられている場合、使用者の腰部を取り巻く対応する前方側パネルに取り付け又は接合するシステムを全般的に備える。
【０００６】
周知のように、オムツの製造中に、前方側パネル及び後方側パネルの両方は、部片に切断され次いで本体に接続されるウェブから作成され、又はより全般的には組み立て中に、繰出経路に沿って繰り出す本体を構成する複合ウェブの層上において、作成される。
【０００７】
前方側又は後方側パネルは、全般的に、互いに平行な２つの側部を有し、側部の一方は、本体と接続するように設計され、他方は、オムツを着用するときに、対応する後方側又は前方側パネルに係合するように設計される。
【０００８】
全般的に、オムツのコスト、着用可能性及び利便性の理由から、前方側及び後方側パネルは、互いに異なる材料から作成され、かつ互いに異なる形状を有するので、前方側及び後方側パネルを形成する方法は、全般的に互いに異なる。
【０００９】
着用可能性要件は、例えば、底辺が上述の平行な側部を備える台形、特に不等辺形状である、いわゆる「非対称的な」パネルの形成につながっている。
【００１０】
これらの方法の別の重要な要件は、廃棄材料を有さないこと、即ち、ウェブの全ての材料を使用して、パネルを得ることを試みることである。廃棄材料が無いようにパネルを作成する方法は、当該領域において「廃棄ゼロ」方法として周知である。
【００１１】
廃棄材料が無いように台形状にパネルを形成するためにウェブを切断することは、各ウェブに対して、本体上の貼着位置を基準にして適正に配向されているパネルがあれば、適正に配向されていないパネルがあることを全般的に示唆する。
【００１２】
上述の欠点を解消するために、手短に言えば、パネルが貼り付けられなければならないウェブに対して適正に配置されておらず配向されていないパネルの回転を含む方法が開発されてきた。これらの解決手段の例が欧州特許出願公開第１９４１８５３号明細書及び欧州特許出願公開第２２３８９５５号明細書に記載されている。
【００１３】
本体への貼着の前にパネルを回転させるステップを含むこれらの方法は、幾つかの欠点を有する。
【００１４】
これらの回転を操作する装置は、複雑かつ高価である。
【００１５】
パネルの回転は、オムツの形成中に高速で重大な局面を有する。
【発明の概要】
【００１６】
このような状況において、本発明の主なる目的は、上述の欠点を解消する吸収性衛生用品を形成する方法を提供することにある。
【００１７】
本発明の１つの目的は、前方側及び後方側間で異なる形状及び／又は材料を有する側部側パネル又はフラップを有するオムツを製造可能な吸収性衛生用品を形成する方法を提供することにある。
【００１８】
本発明の別の目的は、いわゆる「廃棄ゼロ」型の吸収性衛生用品を形成する方法を提供することにある。
【００１９】
本発明の技術的目的及び目標は、請求項１に記載されている技術的特徴を含む吸収性衛生用品を形成する方法によって実質的に達成される。
【図面の簡単な説明】
【００２０】
本発明の更なる特徴及び他の有利な点は、添付の図面に示す、吸収性衛生用品を形成する方法の以下の好ましい実施形態を参照して、以下の詳細な説明からより明らかとなる。なお、実施形態は、本発明を限定するものではない。
【００２１】
図１から図９は、本発明に係る、吸収性用品を形成する方法のステップの概略的な順序の概略平面図を示す。
【発明を実施するための形態】
【００２２】
添付図面、特に図９を参照すれば、符号１は、吸収性衛生用品すなわちオムツになるように設計される半完成品を示し、オムツについて以下に言及するが、本発明の範囲を限定するものではない。
【００２３】
半完成品１は、少なくとも１つの層を備える複合ウェブによって形成される連続体として共につなげられる。
【００２４】
一般的な吸収性衛生用品は、複数の層、例えば、表面シートと、裏面シートと、及び裏面シートと表面シートとの間に配置する吸収性パッドとを全般的に備える、実質的に周知の種類の本体を備える。
【００２５】
本体は、主なる延在方向と、使用時に使用者の前方側に配置されるように設計される前方側端部と、使用時に使用者の背後に配置されるように設計される後方側端部と、を有し、オムツは、使用者の股部の周りに「Ｕ」字状に折り曲げられる。
【００２６】
吸収性用品は、使用者が着用するオムツを基準として、前方側端部から横方向に延在する第１の及び第２の前方側パネル又はフラップを備え、使用者が着用するオムツを基準として、後方側端部から横方向に延在する第１の及び第２の後方側パネル又はフラップを全般的に備える。
【００２７】
前方側及び後方側パネルは、周知の方法で取り付けられ、互いに係合し、一般的な使用者の腰部を取り巻き、使用時に、オムツを正しい位置に保つ。
【００２８】
図１を参照すれば、吸収性用品を製造する方法は、第１のウェブ２を繰出方向Ｖに繰り出すステップを含み、この第１のウェブは、各々吸収性用品の本体の少なくとも第１の層を形成するように設計される第１の及び第２の区間３，４を備える。
【００２９】
ウェブ２の区間３，４は、各々、吸収性用品の対応する本体の前方側端部及び後方側端部に対応する前方側端部３ａ，４ａ及び後方側端部３ｂ，４ｂを備える。
【００３０】
換言すると、端部３ａ，４ａ及び３ｂ，４ｂは、吸収性衛生用品が完成されると、それぞれ、前方側及び後方側として構成される。
【００３１】
ウェブ２は、繰出方向に平行な吸収性用品の本体の主なる延在方向と一致する主なる延在方向Ｄを有する。従って、本発明に係る方法は、いわゆる「機械方向」に実施される。
【００３２】
図示する好ましい実施形態において、ウェブ２は、好ましくは、半完成品１及び対応する吸収性用品の「表面シート」を構成するウェブである。
【００３３】
特に図１及び図６から９を参照すれば、ウェブ２と共に、一般的な吸収性パッド５がまた破線によって示される。図示するように、パッド５は、方向Ｄに沿って、ウェブ２のそれぞれの区間３，４の前方側部分３ａ，４ａにおいて第１の端部を、及びウェブ２のそれぞれの区間３，４の後方側部分３ｂ，４ｂで第２の端部を有する。
【００３４】
更なる明確さのために、区間３，４の前方側端部３ａ，４ａに配置される吸収性パッド５の端部は、区間３，４の後方側端部３ｂ，４ｂに配置される吸収性パッド５の端部に対して先細になって示されている。
【００３５】
一実施形態において、パッド５は、周知の方法で、ウェブ２と既に効率的に関連付けられる。代替の実施形態において、パッド５は、周知で記載されていない連続したステップにおいてウェブ２と関連付けられ、ウェブは、上述の第１の及び第２の区間３，４のみを備える。
【００３６】
本発明に係る方法において、ウェブ２において、各第１の区間が、ウェブ２の繰出方向Ｖに沿って、対応する第１の層の後方側端部に対応する後方側端部３ｂを同じ第１の層の前方側端部に対応する前方側端部３ａの下流側に有するように、ウェブ２の第１の区間３は配向されている。
【００３７】
本発明に係る方法において、ウェブ２において、各第２の区間が、ウェブ２の繰出方向Ｖに沿って、対応する第１の層の前方側端部に対応する前方側端部４ａを同じ第１の層の後方側端部に対応する後方側端部４ｂの下流側に有するように、ウェブ２の第２の区間４は配向されている。
【００３８】
一例として図示する好ましい実施形態において、区間３及び４は、ウェブ２に交互に配列された連続体状に設けられる、即ち、区間３には区間４が続く。
【００３９】
図示しない代替の実施形態において、ウェブ２が上述のように配向されている区間３及び４を備えるにもかかわらず、ウェブ２内の区間３及び４の連続体は異なる。
【００４０】
特に図２を参照すれば、この方法は、完成品のオムツの上述の第１のパネル、例えば後方側パネルを形成するように設計される第２のウェブ６を繰り出すステップを含む。
【００４１】
この方法は、完成品のオムツの上述の第２のパネル、例えば後方側パネルを形成するように設計される第３のウェブ７を繰り出すステップを含む。
【００４２】
ウェブ６及び７は、各々、それぞれの主なる延在方向Ｄ２，Ｄ３と、略直線かつ主なる延在方向Ｄ２，Ｄ３に平行に延在する第１の及び第２の側縁部６ａ，７ａ，６ｂ，７ｂと、を有する。
【００４３】
この方法は、以下により詳細に記載するように、各々、完成品のオムツの第１のパネル、例えば後方側パネルを形成する第１の部片Ａ及び第２の部片Ｂの連続体に、第２のウェブ６を切断するステップを含む。
【００４４】
この方法は、以下により詳細に記載するように、各々、完成品のオムツの第２のパネル、例えば後方側パネルを形成する第３の部片Ｃ及び第４の部片Ｄの連続体に、第３のウェブ７を切断するステップを含む。
【００４５】
部片Ａ，Ｂ，Ｃ，Ｄは、各々、第１の層と接続する第１の端部Ａ１，Ｂ１，Ｃ１，Ｄ１と、第２の端部Ａ２，Ｂ２，Ｃ２，Ｄ２と、を有し、これらの第２の端部は、第１の端部Ａ１，Ｂ１，Ｃ１，Ｄ１と反対側にあり、以下により詳細に記載するように、使用時に、対応するパネルと係合するように設計される。
【００４６】
図示するように、部片Ａは、縁部６ａに位置する第１の端部Ａ１と、縁部６ｂに位置する第２の端部Ａ２と、を有する。
【００４７】
より詳しくは、第１の端部Ａ１は縁部６ａによって画定され、第２の端部Ａ２は縁部６ｂによって画定される。
【００４８】
部片Ｂは、縁部６ｂに位置する第１の端部Ｂ１と、縁部６ａに位置する第２の端部Ｂ２と、を有する。
【００４９】
より詳しくは、第１の端部Ｂ１は縁部６ｂによって画定され、第２の端部Ｂ２は縁部６ａによって画定される。
【００５０】
部片Ｃは、縁部７ｂに位置する第１の端部Ｃ１と、縁部７ａに位置する第２の端部Ｃ２と、を有する。
【００５１】
より詳しくは、第１の端部Ｃ１は縁部７ｂによって画定され、第２の端部Ｃ２は縁部７ａによって画定される。
【００５２】
部片Ｄは、縁部７ａに位置する第１の端部Ｄ１と、縁部７ｂに位置する第２の端部Ｄ２と、を有する。
【００５３】
より詳しくは、第１の端部Ｄ１は縁部７ａによって画定され、第２の端部Ｃ２は縁部７ｂによって画定される。
【００５４】
一例として挙げられる好ましい実施形態において、部片Ａ，Ｂ，Ｃ，Ｄは、オムツの後方側パネルを構成し、この方法は、使用時に吸収性衛生用品を閉じる実質的に周知の種類の及び更には記載しないシステム８を、第２のウェブ６及び第３のウェブ７上に貼り付けるステップを含む。
【００５５】
閉じるシステム８は、部片Ａ，Ｂ，Ｃ，Ｄの第２の端部Ａ２，Ｂ２，Ｃ２，Ｄ２において、第２のウェブ６及び第３のウェブ７上に貼り付けられる。
【００５６】
なお、ウェブ６及び７を切断するステップをより詳細に見れば、切断ステップは、第２のウェブ６の主なる延在方向Ｄ２に対して斜めの複数の切片を作成するステップと、第３のウェブ７の主なる延在方向Ｄ３に対して斜めの複数の切片を作成するステップと、を含む。
【００５７】
図示するように、第２の部片Ｆが第１の部片Ａのように成形され、かつ、第２のウェブ６の面において第１の部片Ａに対して１８０°回転されるように、第２のウェブ６の切片は作成される。
【００５８】
好ましくは、部片Ａ及びＢは、ウェブ６の縁部６ａ，６ｂによって画定される底辺を有する台形、例えば不等辺状である。
【００５９】
図示するように、各部片Ａ，Ｂの大きい方の底辺は、以下により詳細に記載するように、同じ部片をウェブ２に接続するそれぞれの上述の第１の端部Ａ１，Ｂ１を画定する。
【００６０】
図示するように、ウェブ６の縁部６ｂによって画定される部片Ａの底辺を通過する直線に対して第１の部片Ｅと対称的になるように第３の部片Ｃが成形されるように、第３のウェブ７の切片は作成される。
【００６１】
換言すると、部片Ｃは、ウェブ６の縁部６ｂによって画定される部片Ａの底辺に平行な直線を基準にして、部片Ａと鏡対称になっている。
【００６２】
第４の部片Ｄが第３の部片Ｃのように成形され、かつ、第３のウェブ７の面において第３の部片Ｃに対して１８０°回転されるように、第３のウェブ７の切片はまた作成される。
【００６３】
好ましくは、部片Ｃ及びＤは、ウェブ７の縁部７ａ，７ｂによって画定される底辺を有する台形、例えば不等辺状である。
【００６４】
図示するように、各部片Ｃ，Ｄの大きい方の底辺は、以下により詳細に記載するように、同じ部片Ｃ，Ｄをウェブ２に接続するそれぞれの上述の第１の端部Ｃ１，Ｄ１を画定する。
【００６５】
特に図６及び図７を参照すれば、本発明に係る方法は、部片Ａ，Ｂ，Ｃ，Ｄを第１のウェブ２に貼り付けるステップを含む。
【００６６】
部片Ａ，Ｂ，Ｃ，Ｄを第１のウェブ２に貼り付けるステップは、第１のウェブ２の第１の区間３上に、第１の部片Ａを配置するステップを含む。
【００６７】
部片Ａは、区間３の後方側端部３ｂに配置される。
【００６８】
部片Ａは、好ましくは、端部Ａ２がウェブ２の中心に向かって対向する状態で、ウェブ２上に配置される、即ち、部片Ａは、対応する第１の後方側パネルの折り重なり状にウェブ２上に配置される。
【００６９】
部片Ａ，Ｂ，Ｃ，Ｄを第１のウェブ２に貼り付けるステップは、第１のウェブ２の第２の区間４上に、第２の部片Ｂを配置するステップを含む。
【００７０】
部片Ｂは、区間４の後方側端部４ｂに配置される。
【００７１】
部片Ｂは、好ましくは、端部Ｂ２がウェブ２の中心に向かって対向する状態で、ウェブ２上に配置される、即ち、部片Ｂは、対応する第１の後方側パネルの折り重なり状にウェブ２上に配置される。
【００７２】
部片Ｂは、ウェブ２上に、ウェブ２に対して第１の部片Ａの反対側に配置される。
【００７３】
図示する好ましい実施形態において、部片Ａがウェブ２の区間３上に貼り付けられると、部片Ｂは、ウェブ２の繰出方向Ｖに、区間３の後に区間４上に貼り付けられる。
【００７４】
部片Ａ，Ｂ，Ｃ，Ｄを第１のウェブ２に貼り付けるステップは、第１のウェブ２の第１の区間３上に、第３の部片Ｃを配置するステップを含む。
【００７５】
部片Ｃは、区間３の後方側端部３ｂに配置される。
【００７６】
部片Ｃは、好ましくは、端部Ｃ２がウェブ２の中心に向かって対向する状態で、ウェブ２上に配置される、即ち、部片Ｃは、対応する第１の後方側パネルの折り重なり状にウェブ２上に配置される。
【００７７】
部片Ｃは、ウェブ２上に、ウェブ２に対して第１の部片Ａの反対側に配置される。
【００７８】
部片Ａ，Ｂ，Ｃ，Ｄを第１のウェブ２に貼り付けるステップは、第１のウェブ２の第２の区間４上に、第４の部片Ｄを配置するステップを含む。
【００７９】
部片Ｄは、区間４の後方側端部４ｂに配置される。
【００８０】
部片Ｄは、好ましくは、端部Ｄ２がウェブ２の中心に向かって対向する状態で、ウェブ２上に配置される、即ち、部片Ｄは、対応する第１の後方側パネルの折り重なり状にウェブ２上に配置される。
【００８１】
部片Ｄは、ウェブ２上に、ウェブ２に対して第２の及び第３の部片Ｂ，Ｃの反対側に配置される、即ち、部片Ａの同じ側に配置される。
【００８２】
図示する好ましい実施形態において、部片Ｃがウェブ２の区間３上に貼り付けられると、部片Ｄは、ウェブ２の繰出方向Ｖに、区間３の後に区間４上に貼り付けられる。
【００８３】
有利なことに、ウェブ２の特別な形状によれば、第１の及び第２の区間３，４がウェブ２の繰出方向Ｖを基準として反対方向に配向されている状態で、上述のように切断された、即ち、それぞれのウェブ６，７から廃棄材料が出ることなく及びいかなる好ましい実施形態について、いかなる部片Ａ，Ｂ，Ｃ，Ｄをも回転させなくても、部片Ａ，Ｂ，Ｃ，Ｄの貼着を可能にする。
【００８４】
有利なことに、第１の部片Ａの第２の端部Ａ２が第３の部片Ｃの第２の端部Ｃ２に対向しているように、第１の部片Ａ及び第３の部片Ｃはウェブ２上に貼り付けられる。
【００８５】
有利なことに、第２の部片Ｂの第２の端部Ｂ２が第４の部片Ｄの第２の端部Ｄ２に対向しているように、第２の部片Ａ及び第４の部片Ｃはウェブ２上に貼り付けられる。
【００８６】
特に図４を参照すれば、部片Ａ，Ｂ，Ｃ，Ｄの移動をより詳細に見れば、この方法は、第１の部片Ａに対して、ウェブ６の主なる延在方向Ｄ２に平行な方向に第２の部片Ｂを平行移動させて、それぞれ、ウェブ２の第１の及び第２の区間３，４上への部片Ａ及びＢの配置を可能にするステップを含む。
【００８７】
この方法は、第１の部片Ａに対して、ウェブ６の主なる延在方向Ｄ２を横断する方向に沿って第２の部片Ｂを平行移動させて、ウェブ２の両側への部片Ａ及びＢの配置を可能にするステップを含む。
【００８８】
この方法は、第３の部片Ｃに対して、ウェブ７の主なる延在方向Ｄ３に平行な方向に沿って第４の部片Ｄを平行移動させて、それぞれ、ウェブ２の第１の及び第２の区間３，４上に部片Ｃ及びＤの配置を可能にするステップを含む。
【００８９】
この方法は、第３の部片Ｃに対して、ウェブ７の主なる延在方向Ｄ３を横断する方向に沿って第４の部片Ｄを平行移動させて、ウェブ２の両側への部片Ｃ及びＤの配置を可能にするステップを含む。
【００９０】
本発明に係る方法は、吸収性衛生用品の上述の前方側パネルをウェブ２上にまた準備する一連の実質的に同様のステップ含む。
【００９１】
特に図３を参照すれば、この方法は、上述の第１の前方側パネルを形成するように設計される第４のウェブ９を繰り出すステップを含む。
【００９２】
この方法は、完成品のオムツの上述の第２の前方側パネルを形成するように設計される第５のウェブ１０を繰り出すステップを含む。
【００９３】
ウェブ９及び１０は、各々、それぞれの主なる延在方向Ｄ４，Ｄ５と、略直線の及び主なる延在方向Ｄ４，Ｄ５に平行に延在する第１の及び第２の側縁部９ａ，１０ａ，９ｂ，１０ｂと、を有する。
【００９４】
この方法は、以下により詳細に記載するように、各々、完成品のオムツの第１の前方側パネルを形成する第５の部片Ｅ及び第６の部片Ｆの連続体に、第４のウェブ９を切断するステップを含む。
【００９５】
この方法は、以下により詳細に記載するように、各々、完成品のオムツの上述の第２の前方側パネルを形成する第７の部片Ｇ及び第８の部片Ｈの連続体に、第５のウェブ１０を切断するステップを含む。
【００９６】
部片Ｅ，Ｆ，Ｇ，Ｈは、各々、第１の層と接続する第１の端部Ｅ１，Ｆ１，Ｇ１，Ｈ１と、第２の端部Ｅ２，Ｆ２，Ｇ２，Ｈ２と、を有し、これらの第２の端部は、第１の端部Ｅ１，Ｆ１，Ｇ１，Ｈ１の反対側にあり、以下により詳細に記載するように、使用時に、対応する後方側パネルと係合するように設計される。
【００９７】
図示するように、部片Ｅは、縁部９ａに位置する第１の端部Ｅ１と、縁部９ｂに位置する第２の端部Ｅ２と、を有する。
【００９８】
より詳しくは、第１の端部Ｅ１は縁部９ａによって画定され、第２の端部Ａ２は縁部９ｂによって画定される。
【００９９】
部片Ｄは、縁部９ｂに位置する第１の端部Ｆ１と、縁部９ａに位置する第２の端部Ｆ２と、を有する。
【０１００】
より詳しくは、第１の端部Ｆ１は縁部９ｂによって画定され、第２の端部Ｆ２は縁部９ａによって画定される。
【０１０１】
部片Ｇは、縁部１０ｂに位置する第１の端部Ｇ１と、縁部１０ａに位置する第２の端部Ｇ２と、を有する。
【０１０２】
より詳しくは、第１の端部Ｇ１は縁部１０ｂによって画定され、第２の端部Ｇ２は縁部１０ａによって画定される。
【０１０３】
部片Ｈは、縁部１０ａに位置する第１の端部Ｈ１と、縁部１０ｂに位置する第２の端部Ｈ２と、を有する。
【０１０４】
より詳しくは、第１の端部Ｈ１は縁部９ｂによって画定され、第２の端部Ｆ２は縁部９ａによって画定される。
【０１０５】
ウェブ９及び１０を切断するステップをより詳細に見れば、切断ステップは、第４のウェブ９の主なる延在方向Ｄ４に対して斜めの複数の切片を作成するステップと、第５のウェブ１０の主なる延在方向Ｄ５に対して斜めの複数の切片を作成するステップと、を含む。
【０１０６】
図示するように、第６の部片Ｆが第５の部片Ｅのように成形され、かつ、第４のウェブ９の面において第５の部片Ｅに対して１８０°回転されるように、第４のウェブ９の切片は作成される。
【０１０７】
好ましくは、部片Ｅ及びＦは、ウェブ９の縁部９ａ，９ｂによって画定される底辺を有する台形、例えば不等辺状である。
【０１０８】
図示するように、各部片Ｅ，Ｆの大きい方の底辺は、以下により詳細に記載するように、同じ部片をウェブ２に接続するそれぞれの上述の第１の端部Ｅ１，Ｆ１を画定する。
【０１０９】
図示するように、第７の部片Ｇが、ウェブ９の縁部９ｂによって画定される部片Ｅの底辺を通過する直線に対して第５の部片Ｅと対称的になるように成形されるように、第５のウェブ１０の切片は作成される。
【０１１０】
換言すると、部片Ｇは、ウェブ９の縁部９ｂによって画定される部片Ｅの底辺に平行な直線を基準にして、部片Ａと鏡対称になっている。
【０１１１】
第８の部片Ｈが第７の部片Ｇのように成形され、かつ、第５のウェブ１０の面において第７の部片Ｇに対して１８０°回転されるように、第５のウェブ１０の切片はまた作成される。
【０１１２】
好ましくは、部片Ｇ及びＨは、ウェブ１０の縁部１０ａ，１０ｂによって画定される底辺を有する台形、例えば不等辺状である。
【０１１３】
図示するように、各部片Ｇ，Ｈの大きい方の底辺は、以下により詳細に記載するように、同じ部片Ｇ，Ｈをウェブ２に接続するそれぞれの上述の第１の端部Ｇ１，Ｈ１を画定する。
【０１１４】
特に図８及び図９を参照すれば、本発明に係る方法は、部片Ｅ，Ｆ，Ｇ，Ｈを第１のウェブ２に貼り付けるステップを含む。
【０１１５】
部片Ｅ，Ｆ，Ｇ，Ｈを第１のウェブ２に貼り付けるステップは、第１のウェブ２の第２の区間４上に、第５の部片Ｅを配置するステップを含む。
【０１１６】
部片Ｅは、区間４の後方側端部４ａに配置される。
【０１１７】
部片Ｅは、好ましくは、端部Ｅ２がウェブ２の中心に向かって対向する状態で、ウェブ２上に配置される、即ち、部片Ｅは、対応する第１の前方側パネルの折り重なり状にウェブ２上に配置される。
【０１１８】
部片Ｅ，Ｆ，Ｇ，Ｈを第１のウェブ２に貼り付けるステップは、第１のウェブ２の第１の区間３上に、第６の部片Ｅを配置するステップを含む。
【０１１９】
部片Ｆは、区間３の後方側端部３ａに配置される。
【０１２０】
部片Ｆは、好ましくは、端部Ｆ２がウェブ２の中心に向かって対向する状態で、ウェブ２上に配置される、即ち、部片Ｆは、対応する第１の前方側パネルの折り重なり状にウェブ２上に配置される。
【０１２１】
部片Ｆは、ウェブ２上に、ウェブ２に対して第１の部片Ｅの反対側に配置される。
【０１２２】
図示する好ましい実施形態において、部片Ｅがウェブ２の区間４上に貼り付けられると、部片Ｆは、ウェブ２の繰出方向Ｖに、区間４の後に区間３上に貼り付けられる。
【０１２３】
部片Ｅ，Ｆ，Ｇ，Ｈを第１のウェブ２に貼り付けるステップは、第１のウェブ２の第２の区間４上に、第７の部片Ｇを配置するステップを含む。
【０１２４】
部片Ｇは、区間４の後方側端部４ａに配置される。
【０１２５】
部片Ｇは、好ましくは、端部Ｇ２がウェブ２の中心に向かって対向する状態で、ウェブ２上に配置される、即ち、部片Ｇは、対応する第２の前方側パネルの折り重なり状にウェブ２上に配置される。
【０１２６】
部片Ｇは、ウェブ２上に、ウェブ２に対して第１の部片Ｅの反対側に配置される。
【０１２７】
部片Ｅ，Ｆ，Ｇ，Ｈを第１のウェブ２に貼り付けるステップは、第１のウェブ２の第１の区間３上に、第８の部片Ｈを配置するステップを含む。
【０１２８】
部片Ｈは、区間３の後方側端部３ａに配置される。
【０１２９】
部片Ｈは、好ましくは、端部Ｈ２がウェブ２の中心に向かって対向する状態で、ウェブ２上に配置される、即ち、部片Ｈは、対応する第１の後方側パネルの折り重なり状にウェブ２上に配置される。
【０１３０】
部片Ｈは、ウェブ２上に、ウェブ２に対して第６の及び第７の部片Ｆ，Ｇの反対側に配置される、即ち、部片Ｅの同じ側に配置される。
【０１３１】
図示する好ましい実施形態において、部片Ｇがウェブ２の区間４上に貼り付けられると、部片Ｈは、ウェブ２の繰出方向Ｖに、区間４の後に区間３上に貼り付けられる。
【０１３２】
有利なことに、ウェブ２の特別な形状によれば、第１の及び第２の区間３，４がウェブ２の繰出方向Ｖを基準として反対方向に配向されている状態で、上述のように切断された、即ち、それぞれのウェブ９，１０から廃棄材料が出ることなく及びいかなる好ましい実施形態について、いかなる部片Ｅ，Ｆ，Ｇ，Ｈをも回転させなくても部片Ｅ，Ｆ，Ｇ，Ｈの貼着を可能にする。
【０１３３】
有利なことに、第５の部片Ｅの第２の端部Ｅ２が第７の部片Ｇの第２の端部Ｇ２に対向しているように、第５の部片Ａ及び第７の部片Ｃはウェブ２上に貼り付けられる。
【０１３４】
有利なことに、第６の部片Ｆの第２の端部Ｆ２が第８の部片Ｈの第２の端部Ｈ２に対向しているように、第６の部片Ａ及び第８の部片Ｈはウェブ２上に貼り付けられる。
【０１３５】
特に図５を参照すれば、部片Ｅ，Ｆ，Ｇ，Ｈの移動をより詳細に見れば、この方法は、第５の部片Ｅに対して、ウェブ９の主なる延在方向Ｄ４に平行な方向に第６の部片Ｆを平行移動させて、それぞれ、ウェブ２の第１の及び第２の区間４，３上への部片Ｇ及びＨの配置を可能にするステップを含む。
【０１３６】
この方法は、第５の部片Ｅに対して、ウェブ９の主なる延在方向Ｄ４を横断する方向に沿って第６の部片Ｆを平行移動させて、ウェブ２の両側上への部片Ｅ及びＦの配置を可能にするステップを含む。
【０１３７】
この方法は、第７の部片Ｇに対して、ウェブ１０の主なる延在方向Ｄ５に平行な方向に沿って第８の部片Ｈを平行移動させて、それぞれ、ウェブ２の第２の及び第１の区間４，３上に部片Ｇ及びＨの配置を可能にするステップを含む。
【０１３８】
この方法は、第７の部片Ｇに対して、ウェブ１０の主なる延在方向Ｄ５を横断する方向に沿って第８の部片Ｈを平行移動させて、ウェブ２の両側への部片Ｇ及びＨの配置を可能にするステップを含む。
【０１３９】
部片Ａ，Ｂ，Ｃ，Ｄ，Ｅ，Ｆ，Ｇ，Ｈが、上述のようにウェブ２上に配置されると、この方法は、第２の端部Ａ２，Ｂ２，Ｃ２，Ｄ２，Ｅ２，Ｆ２，Ｇ２，Ｈ２に対して、第１のウェブ２の反対側の面に第１の端部Ａ１，Ｂ１，Ｃ１，Ｄ１，Ｅ１，Ｆ１，Ｇ１，Ｈ１を折り畳むステップを含む。
【０１４０】
より詳しくは、折り畳むステップを実施するために、部片Ａ，Ｂ，Ｃ，Ｄ，Ｅ，Ｆ，Ｇ，Ｈは、それぞれを貼り付けるステップの終わりで、第１の端部Ａ１，Ｂ１，Ｃ１，Ｄ１，Ｅ１，Ｆ１，Ｇ１，Ｈ１が第１のウェブ２からカンチレバー式に延在するように、ウェブ２上に配置される。
【０１４１】
端部が折り畳まれると、この方法は、例えば「裏面シート」である、上述の本体の第２の層を形成するように設計される、少なくとも第６のウェブを第１のウェブ２に貼り付けるステップを含む（図示せず）。
【０１４２】
このようにして、部片Ａ，Ｂ，Ｃ，Ｄ，Ｅ，Ｆ，Ｇ，Ｈの端部Ａ１，Ｂ１，Ｃ１，Ｄ１，Ｅ１，Ｆ１，Ｇ１，Ｈ１は、第１のウェブ２及び第６のウェブ間に閉塞され続け、これにより、部片及び対応するパネルを対応するオムツの本体に接合することを確実にする。
【０１４３】
形成方法は、図９に示す半完成品から始まる複数の吸収性衛生用品の生産を達成する、記載しない、更なる周知のステップを含む。
【０１４４】
上述の方法によれば、重要な長所がもたらされ、材料の廃棄無く、いわゆる非対称的なパネルの貼着を可能にする、即ち、「廃棄ゼロ」式方法であり、従来技術の方法では、パネルの回転が原因である重大な局面を完全に回避する。前方側及び後方側パネルでの異なるウェブパネルの使用によれば、使用される材料の種類を必要性に基づいて区別可能にし、特に完成品のコストを限定可能にする、一方で必要に応じて、例えば、弾性材料のみ採用することができるので、良好な着用可能性を付与する。
【先行技術文献】
【特許文献】
【０１４５】
【特許文献１】欧州特許出願公開第１９４１８５３号明細書
【特許文献２】欧州特許出願公開第２２３８９５５号明細書
【図１】
0006680775.tif 000002
【図２】
0006680775.tif 000003
【図３】
0006680775.tif 000004
【図４】
0006680775.tif 000005
【図５】
0006680775.tif 000006
【図６】
0006680775.tif 000007
【図７】
0006680775.tif 000008
【図８】
0006680775.tif 000009
【図９】
0006680775.tif 000010